(57)【要約】【課題】ユーザの興奮度の情報をもとにコンテンツ提供者がより効果的なサービスを実現できるようにした情報処理装置、情報処理方法及びプログラムを提供する。【解決手段】情報処理装置は、少なくとも血圧を含む生体情報を測定する検出装置から、コンテンツを享受するユーザの生体情報を取得する生体情報取得部と、前記生体情報取得部により取得された前記生体情報に基づいて、前記コンテンツを享受中である前記ユーザの興奮度を判定する興奮度判定部と、前記興奮度の判定結果に基づいて、前記コンテンツの内容を前記コンテンツの進行途中で変更する変更部と、を備える。【選択図】      図１
2018151862.tif 000002
【特許請求の範囲】
【請求項１】
少なくとも血圧を含む生体情報を測定する検出装置から、コンテンツを享受するユーザの生体情報を取得する生体情報取得部と、
前記生体情報取得部により取得された前記生体情報に基づいて、前記コンテンツを享受中である前記ユーザの興奮度を判定する興奮度判定部と、
前記興奮度の判定結果に基づいて、前記コンテンツの内容を前記コンテンツの進行途中で変更する変更部と、
を備える情報処理装置。
【請求項２】
前記コンテンツは、所定の変更点において複数のコンテンツに変更可能に構成され、
前記変更部は、前記興奮度の判定結果に基づいて、前記所定の変更点において前記複数のコンテンツから前記興奮度に対応するコンテンツを選択することで前記コンテンツの内容を変更する、
請求項１に記載の情報処理装置。
【請求項３】
前記コンテンツの進行が前記所定の変更点に到達したか否かを判定する進行判定部を備え、
前記変更部は、前記進行判定部によって前記コンテンツの進行が前記所定の変更点に到達したと判定された場合、前記複数のコンテンツから前記興奮度に対応するコンテンツを選択する、
請求項２に記載の情報処理装置。
【請求項４】
前記生体情報取得部は、前記検出装置が前記ユーザの心拍の一拍ごとに測定した生体情報を取得する、
請求項１乃至３の何れか１項に記載の情報処理装置。
【請求項５】
前記検出装置から、環境状態を示す環境情報を取得する環境情報取得部を、さらに備え、
前記興奮度判定部は、前記生体情報取得部により取得された前記生体情報と、前記環境情報取得部により取得された前記環境情報とに基づいて、前記コンテンツを享受中である前記ユーザの興奮度を判定する、
請求項１乃至４の何れか１項に記載の情報処理装置。
【請求項６】
前記検出装置から、前記ユーザの体の一部に生じた加速度を示す加速度情報を取得する加速度情報取得部を、さらに備え、
前記興奮度判定部は、前記生体情報取得部により取得された前記生体情報と、前記加速度情報取得部により取得された前記加速度情報とに基づいて、前記コンテンツを享受中である前記ユーザの興奮度を判定する、
請求項１乃至５の何れか１項に記載の情報処理装置。
【請求項７】
前記コンテンツは、音楽コンテンツであり、
前記変更部は、前記興奮度の判定結果に基づいて、興奮度を抑える音楽コンテンツ又は興奮度を高める音楽コンテンツに変更する、
前記請求項１に記載の情報処理装置。
【請求項８】
情報処理装置が、少なくとも血圧を含む生体情報を測定する検出装置から、コンテンツを享受するユーザの生体情報を取得する過程と、
前記情報処理装置が、取得された前記生体情報に基づいて、前記コンテンツを享受中である前記ユーザの興奮度を判定する過程と、
前記情報処理装置が、前記興奮度の判定結果に基づいて、前記コンテンツの内容を前記コンテンツの進行途中で変更する過程と、
を備える情報処理方法。
【請求項９】
請求項１乃至７の何れか１項に記載の情報処理装置が備える各部としてプロセッサを機能させるプログラム。
【発明の詳細な説明】
【技術分野】
【０００１】
この発明は、コンテンツの内容を制御する情報処理装置、情報処理方法及びプログラムに関連する。
【背景技術】
【０００２】
映画又はゲームなどのコンテンツを享受するユーザの興奮度を判定する手法が知られている。例えば特許文献１には、ユーザの生体情報などに基づいて、コンテンツの視聴によってユーザに生じた興奮度を判定する手法が記載されている。
【先行技術文献】
【特許文献】
【０００３】
【特許文献１】特開２０１６−００７４１４号公報
【発明の概要】
【発明が解決しようとする課題】
【０００４】
しかし特許文献１には、コンテンツ視聴中又は視聴終了後のユーザの興奮度を測定し、その結果をコンテンツ視聴終了後に表示することまでは記載されているが、コンテンツ提供者側におけるユーザの興奮度の具体的な利用例までは教示されていない。
【０００５】
そこで、ユーザの興奮度の情報をもとにコンテンツ提供者がより効果的なサービスを実現できるようにした情報処理装置、情報処理方法及びプログラムを提供する。
【課題を解決するための手段】
【０００６】
上記課題を解決するために第１の形態に係る情報処理装置は、少なくとも血圧を含む生体情報を測定する検出装置から、コンテンツを享受するユーザの生体情報を取得する生体情報取得部と、前記生体情報取得部により取得された前記生体情報に基づいて、前記コンテンツを享受中である前記ユーザの興奮度を判定する興奮度判定部と、前記興奮度の判定結果に基づいて、前記コンテンツの内容を前記コンテンツの進行途中で変更する変更部と、を備える。
【０００７】
第２の形態に係る前記コンテンツは、所定の変更点において複数のコンテンツに変更可能に構成され、前記変更部は、前記興奮度の判定結果に基づいて、前記所定の変更点において前記複数のコンテンツから前記興奮度に対応するコンテンツを選択することで前記コンテンツの内容を変更する。
【０００８】
第３の形態に係る情報処理装置は、前記コンテンツの進行が前記所定の変更点に到達したか否かを判定する進行判定部を備え、前記変更部は、前記進行判定部によって前記コンテンツの進行が前記所定の変更点に到達したと判定された場合、前記複数のコンテンツ から前記興奮度に対応するコンテンツを選択する。
【０００９】
第４の形態に係る前記生体情報取得部は、前記検出装置が前記ユーザの心拍の一拍ごとに測定した生体情報を取得する。
【００１０】
第５の形態に係る情報処理装置は、前記検出装置から、環境状態を示す環境情報を取得する環境情報取得部を、さらに備え、前記興奮度判定部は、前記生体情報取得部により取得された前記生体情報と、前記環境情報取得部により取得された前記環境情報とに基づいて、前記コンテンツを享受中である前記ユーザの興奮度を判定する。
【００１１】
第６の形態に係る情報処理装置は、前記検出装置から、前記ユーザの体の一部に生じた加速度を示す加速度情報を取得する加速度情報取得部を、さらに備え、前記興奮度判定部は、前記生体情報取得部により取得された前記生体情報と、前記加速度情報取得部により取得された前記加速度情報とに基づいて、前記コンテンツを享受中である前記ユーザの興奮度を判定する。
【００１２】
第７の形態に係る前記コンテンツは、音楽コンテンツであり、前記変更部は、前記興奮度の判定結果に基づいて、興奮度を抑制する音楽コンテンツ又は興奮度を高める音楽コンテンツに変更する。
【発明の効果】
【００１３】
第１の形態によれば、情報処理装置において、ユーザの興奮度が判定され、コンテンツの内容が変更される。その結果、情報処理装置は、ユーザの興奮度を制御することができる。
【００１４】
第２の形態によれば、情報処理装置において、コンテンツが変更点において変更される。その結果、情報処理装置は、変更点ごとに設定されたコンテンツをユーザに提供することができる。
【００１５】
第３の形態によれば、情報処理装置において、コンテンツの進行が変更点に到達するとコンテンツの選択が行われる。その結果、情報処理装置は、コンテンツの進行が変更点に到達するまでの興奮度に応じてコンテンツを変更することができる。
【００１６】
第４の形態によれば、情報処理装置において、一拍ごとに生体情報が取得される。その結果、情報処理装置は、コンテンツを享受中であるユーザの興奮度を連続して判定することができる。
【００１７】
第５の形態によれば、情報処理装置において、環境情報が加味されたうえでユーザの興奮度が判定される。その結果、情報処理装置は、環境によって生じた生体情報の変化を考慮してより正確な興奮度の判定を行うことができる。
【００１８】
第６の形態によれば、情報処理装置において、ユーザの体の一部で発生した加速度が加味されたうえで興奮度が判定される。その結果、情報処理装置は、ユーザの体の動静まで考慮したより正確に興奮度を判定することができる。
【００１９】
第７の形態によれば、情報処理装置において、ユーザの興奮度に基づいて音楽コンテンツが変更される。その結果、情報処理装置は、音楽コンテンツを享受するユーザの興奮度をコントロールすることができる。
【図面の簡単な説明】
【００２０】
【図１】図１は、提供システムの構成例を概略的に示す図である。
【図２】図２は、情報処理装置の構成例を示すブロック図である。
【図３】図３は、検出装置の構成例を示すブロック図である。
【図４】図４は、コンテンツの構成例を示す図である。
【図５】図５は、情報処理装置の機能の構成例を示すブロック図である。
【図６】図６は、情報処理装置の動作例を示すフローチャートである。
【図７】図７は、音楽コンテンツから生じた興奮度を示すグラフの例である。
【発明を実施するための形態】
【００２１】
一実施形態の提供システムは、ユーザに生じた興奮度（ユーザの興奮度）に基づいてユーザに提供するコンテンツの内容を変更する。たとえば、提供システムが提供するコンテンツは、映画館などで視聴可能な動画コンテンツ、音楽などの音コンテンツ、テレビゲーム若しくは携帯ゲームなどのゲームコンテンツ、漫画若しくは小説などの書籍コンテンツ（電子書籍を含む）、又は、ジェットコースター、お化け屋敷若しくはバンジージャンプなどのアトラクションコンテンツなどである。コンテンツの構成は、特定の構成に限定されるものではない。
【００２２】
図１は、この発明の一実施形態に係る情報処理装置１０を備えた提供システム１の構成例を概略的に示す図である。  
図１に示すように、提供システム１は、情報処理装置１０、検出装置２０及びコンテンツ提供装置４０などを備える。なお、提供システム１は、図１に示すような構成の他に必要に応じた構成を具備したり、特定の構成を除外したりしてもよい。
【００２３】
情報処理装置１０は、デスクトップＰＣ、ノートＰＣ、タブレットＰＣ又はスマートフォンなどである。また、情報処理装置１０は、検出装置２０と有線又は無線回線を介してデータを送受信する。情報処理装置１０は、検出装置２０及びから出力された検出データを受信し、受信された検出データなどに基づいて、コンテンツ提供装置４０が提供するコンテンツを享受するユーザの興奮度を判定する。なお、情報処理装置１０は、１人のユーザの興奮度を判定してもよいし、複数のユーザの興奮度を判定してもよい。
【００２４】
また、情報処理装置１０は、コンテンツ提供装置４０とデータを送受信する。情報処理装置１０は、コンテンツ提供装置４０が提供するコンテンツの内容を制御する情報などをコンテンツ提供装置４０へ送信する。  
情報処理装置１０については、後に詳述する。
【００２５】
検出装置２０は、ユーザの腕に取り付けられる腕時計型のウェアラブル端末である。検出装置２０は、種々のセンサを用いてユーザの生体情報を取得する。また、検出装置２０は、ユーザの体に生じた加速度を示す加速度情報を取得する。また、検出装置２０は、種々のセンサを通じて周囲の環境情報を取得する。検出装置２０は、取得した生体情報、加速度情報及び環境情報を情報処理装置１０へ送信する。
【００２６】
なお、検出装置２０は、コンテンツ提供装置４０が提供するコンテンツを享受中であるユーザの生体情報を検出できるものであればどのようなセンサを使用してもよく、また装置のタイプもウェアラブル端末に限定されるものではない。  
検出装置２０については、後に詳述する。
【００２７】
コンテンツ提供装置４０は、ユーザにコンテンツを提供する。コンテンツ提供装置４０は、コンテンツを提供するための種々のユーザインターフェースを備える。コンテンツ提供装置４０は、インターフェースとして、たとえばモニタ、スピーカ、コントローラ又はＶＲ（ｖｉｒｔｕａｌ  ｒｅａｌｉｔｙ）ゴーグルを備える。
【００２８】
コンテンツ提供装置４０は、モニタ、スピーカ又はＶＲゴーグルを通じて、たとえばユーザに対し動画コンテンツを提供する。また、コンテンツ提供装置４０は、モニタを通じて電子書籍などの書籍コンテンツを表示してもよい。また、コンテンツ提供装置４０は、スピーカを通じて音楽又は朗読などの音コンテンツを提供してもよい。また、コンテンツ提供装置４０は、モニタ、スピーカ、コントローラ又はＶＲゴーグルなどを通じてゲームコンテンツを提供してもよい。
【００２９】
また、コンテンツ提供装置４０は、ジェットコースター、お化け屋敷又はバンジージャンプなどのアトラクションコンテンツを提供してもよい。  
コンテンツ提供装置４０の構成は、特定の構成に限定されるものではない。
【００３０】
次に、情報処理装置１０について説明する。  
図２は、一実施形態に係る情報処理装置１０の構成例を示すブロック図である。  
図２が示す構成例において、情報処理装置１０は、プロセッサ１１、ＲＯＭ１２、ＲＡＭ１３、ＮＶＭ１４、検出装置インターフェース１５、提供装置インターフェース１６、操作部１７及び表示部１８などを備える。これらの各部は、データバスを介して互いに接続される。なお、情報処理装置１０は、図２が示すような構成の他に必要に応じた構成を具備したり、特定の構成を除外したりしてもよい。
【００３１】
プロセッサ１１は、情報処理装置１０全体の動作を制御する機能を有する。プロセッサ１１は、内部キャッシュおよび各種のインターフェースなどを備えてもよい。プロセッサ１１は、内部メモリ、ＲＯＭ１２又はＮＶＭ１４が予め記憶するプログラムを実行することにより種々の処理を実現する。
【００３２】
なお、プロセッサ１１がプログラムを実行することにより実現する各種の機能のうちの一部は、ハードウエア回路により実現されるものであってもよい。この場合、プロセッサ１１は、ハードウエア回路により実行される機能を制御する。
【００３３】
ＲＯＭ１２は、制御プログラム及び制御データなどが予め記憶された不揮発性のメモリである。ＲＯＭ１２に記憶される制御プログラム及び制御データは、情報処理装置１０の仕様に応じて予め組み込まれる。ＲＯＭ１２は、たとえば、情報処理装置１０の回路基板を制御するプログラム（たとえば、ＢＩＯＳ）などを格納する。
【００３４】
ＲＡＭ１３は、揮発性のメモリである。ＲＡＭ１３は、プロセッサ１１の処理中のデータなどを一時的に格納する。ＲＡＭ１３は、プロセッサ１１からの命令に基づき種々のアプリケーションプログラムを格納する。また、ＲＡＭ１３は、アプリケーションプログラムの実行に必要なデータ及びアプリケーションプログラムの実行結果などを格納してもよい。
【００３５】
ＮＶＭ１４は、データの書き込み及び書き換えが可能な不揮発性のメモリである。ＮＶＭ１４は、たとえば、ＨＤＤ（Hard Disk Drive）、ＳＳＤ（Solid State Drive）、ＥＥＰＲＯＭ（登録商標）又はフラッシュメモリなどから構成される。ＮＶＭ１４は、情報処理装置１０の運用用途に応じて制御プログラム、アプリケーション、及び種々のデータなどを格納する。
【００３６】
検出装置インターフェース１５は、検出装置２０とデータを送受信するためのインターフェースである。検出装置インターフェース１５は、有線又は無線回線を介して検出装置２０と接続する。たとえば、検出装置インターフェース１５は、ＬＡＮ接続、ＵＳＢ接続又はｂｌｕｅｔｏｏｔｈ（登録商標）による接続をサポートするものであってもよい。
【００３７】
提供装置インターフェース１６は、コンテンツ提供装置４０とデータを送受信するためのインターフェースである。提供装置インターフェース１６は、有線又は無線回線を介してコンテンツ提供装置４０と接続する。たとえば、提供装置インターフェース１６は、ＬＡＮ接続、ＵＳＢ接続又はｂｌｕｅｔｏｏｔｈによる接続をサポートするものであってもよい。  
なお、検出装置インターフェース１５と提供装置インターフェース１６とは、一体的に形成されてもよい。
【００３８】
操作部１７は、たとえば、キーボード、テンキー及びタッチパネルから構成される。操作部１７は、情報処理装置１０のオペレータが入力した種々の操作指示を取り込み、オペレータによって入力された操作指示を表す信号をプロセッサ１１へ送信する。
【００３９】
表示部１８は、たとえば液晶モニタから構成される。表示部１８は、プロセッサ１１の制御により種々の情報を表示する。なお、操作部１７がタッチパネルなどで構成される場合、表示部１８は、操作部１７と一体的に形成されてもよい。
【００４０】
次に、検出装置２０について説明する。  
図３は、一実施形態に係る検出装置２０の構成例を示すブロック図である。  
図３が示す構成例において、検出装置２０は、プロセッサ２１、メモリ２２、通信部２３、操作部２４、表示部２５、生体センサ２６、加速度センサ２７及び環境センサ２８などを備える。これらの各部は、データバスを介して互いに接続される。なお、検出装置２０は、図３が示すような構成の他に必要に応じた構成を具備したり、特定の構成を除外したりしてもよい。
【００４１】
プロセッサ２１は、検出装置２０全体の動作を制御する機能を有する。プロセッサ２１は、内部キャッシュおよび各種のインターフェースなどを備えてもよい。プロセッサ２１は、内部メモリ又はメモリ２２が予め記憶するプログラムを実行することにより種々の処理を実現する。
【００４２】
なお、プロセッサ２１がプログラムを実行することにより実現する各種の機能のうちの一部は、ハードウエア回路により実現されるものであってもよい。この場合、プロセッサ２１は、ハードウエア回路により実行される機能を制御する。
【００４３】
メモリ２２は、種々のデータを揮発又は不揮発に格納する。たとえば、メモリ２２は、プロセッサ２１の処理中のデータなどを一時的に格納する。また、メモリ２２は、検出装置２０の運用用途に応じて制御プログラム、アプリケーション、及び種々のデータを格納する。メモリ２２は、ユーザの生体情報、加速度情報又は環境情報などを一時的又は非一時的に格納する。
【００４４】
通信部２３は、情報処理装置１０とデータを送受信するためのインターフェースである。たとえば、通信部２３は、有線又は無線回線を介して情報処理装置１０と接続する。たとえば、通信部２３は、ＬＡＮ接続、ＵＳＢ接続又はｂｌｕｅｔｏｏｔｈによる接続をサポートするものであってもよい。
【００４５】
操作部２４は、たとえば、キーボード、テンキー及びタッチパネルから構成される。操作部２４は、検出装置２０を装着するユーザが入力した種々の操作指示を取り込み、当該操作指示を表す信号をプロセッサ２１へ出力する。
【００４６】
表示部２５は、たとえば液晶モニタから構成される。表示部２５は、プロセッサ２１の制御により種々の情報を表示する。なお、操作部２４がタッチパネルなどで構成される場合、表示部２５は、操作部２４と一体的に形成されてもよい。
【００４７】
生体センサ２６は、測定対象とする生体情報を測定するためのセンサから構成される。生体センサ２６は、連続又は所定の時間間隔でユーザの生体に関する生体情報を測定する。生体センサ２６は、少なくとも血圧を測定する血圧センサ２６１を含む。なお、生体センサ２６は、心拍を測定する心拍センサ、心電図を測定する心電センサ、脈波を測定する脈波センサ、脈拍を測定する脈拍センサ、体温を測定する体温センサ又は発汗状態を測定する発汗センサなどを含むものであってもよい。また、生体センサ２６は、頭部に設置され脳波を測定するセンサを備えてもよい。
【００４８】
血圧センサ２６１は、生体情報として、ユーザの血圧を測定するセンサである。たとえば、血圧センサ２６１は、ユーザの心拍の一拍ごと（連続的）に血圧を測定可能な血圧センサ（以降、連続型の血圧センサと称する）であってもよい。連続型の血圧センサは、脈波伝播時間（ＰＴＴ；Ｐｕｌｓｅ  Ｔｒａｎｓｉｔ  Ｔｉｍｅ）からユーザの血圧を連続測定するものであってもよいし、トノメトリ法または他の技法により連続測定を実現してもよい。また、血圧センサ２６１は、非連続的に血圧を測定する非連続型の血圧センサであってもよい。非連続型の血圧センサは、たとえば、カフを圧力センサとして用いてユーザの血圧を測定するものであってもよい（オシロメトリック法）。なお、血圧センサ２６１は、特定の構成に限定されるものではない。
【００４９】
また、血圧センサ２６１以外の各センサも、連続又は所定の時間間隔でユーザの生体情報を測定する。すなわち、生体センサ２６を構成する各センサは、ユーザの心拍の一拍ごと（連続的）に生体情報を測定してもよいし、所定の時間間隔で生体情報を測定してもよい。
【００５０】
また、生体センサ２６を構成する各センサは、測定結果を示す測定値（生体情報の状態を示す値（生体情報の測定値））をプロセッサ２１へ出力する。たとえば、生体センサ２６の各センサは、生体情報を測定する度に測定した生体情報の測定値をプロセッサ２１へ出力してもよい。また、生体センサ２６の各センサは、所定の時間間隔で生体情報の測定値をプロセッサ２１へ送信してもよい。また、生体センサ２６は、バッファ用のメモリを有し、所定の時間間隔内に測定した生体情報の測定値をまとめてプロセッサ２１へ出力してもよい。
【００５１】
加速度センサ２７は、加速度センサ２７が受ける加速度を検出する。たとえば、加速度センサ２７は、ユーザの手首に生じる３軸の加速度情報を検出する。加速度センサ２７は、加速度の測定値を示す加速度情報をプロセッサ２１へ出力する。
【００５２】
環境センサ２８は、連続又は所定の時間間隔でユーザの周辺の環境を示す環境情報を測定する。たとえば、環境センサ２８は、環境情報としての気温を測定する気温センサ２８１を含む。なお、環境センサ２８は、湿度を測定する湿度センサ、気圧を測定する気圧センサ、照度を測定する照度センサ、音を測定するマイクなどを備えてもよい。
【００５３】
気温センサ２８１は、サーミスタ、熱電対又は赤外線センサなどから構成される。気温センサ２８１は、ユーザの周辺の気温を測定する。また、気温センサ２８１は、気温を検知する検知部が実際に測定する値をユーザの体温の影響に応じて補正した値を気温の測定値として出力するものであってもよい。気温センサ２８１の構成は、特定の構成に限定されるものではない。なお、プロセッサ２１が気温センサ２８１の測定値をユーザの体温の影響に応じて補正してもよい。
【００５４】
また、環境センサ２８の各センサは、測定結果を示す値（環境状態を示す値（環境情報の測定値））をプロセッサ２１へ出力する。たとえば、環境センサ２８は、環境情報を測定する度に測定した環境情報の測定値をプロセッサ２１へ出力してもよい。また、環境センサ２８の各センサは、所定の時間間隔で環境情報の測定値をプロセッサ２１へ送信してもよい。たとえば、環境センサ２８は、バッファメモリを有し、所定の時間間隔内に測定した環境情報の測定値をまとめてプロセッサ２１へ送信してもよい。
【００５５】
なお、検出装置２０は、ジャイロセンサなどを備えてもよい。たとえば、ジャイロセンサは、３軸方向の回転を検出し、検出結果をプロセッサ２１へ送信する。
【００５６】
次に、コンテンツ提供装置４０がユーザに提供するコンテンツについて説明する。  
図４は、コンテンツ提供装置４０がユーザに提供するコンテンツの構成例を示す。図４が示すように、コンテンツは、分岐点α１乃至α７（変更点）を備える。コンテンツは、分岐点α１乃至α７において複数のルート（コンテンツ）に変更可能に構成される。
【００５７】
分岐点α１乃至α７は、コンテンツの内容を分岐（変更）することができる点である。たとえば、分岐点α１乃至α７は、所定の基準に沿って設定される。たとえば、コンテンツが動画コンテンツなど時間で進行するものであれば、分岐点α１乃至α７は、コンテンツの提供を開始してからの時間を基準に設定される。たとえば、分岐点α１乃至α７は、コンテンツの提供を開始してから経過した時間である。
【００５８】
また、コンテンツがゲームコンテンツであれば、分岐点α１乃至α７は、ゲームの進行を基準に設定される。たとえば、分岐点α１乃至α７は、所定のイベント発生時などである。
【００５９】
また、コンテンツがアトラクションコンテンツなどユーザの位置に応じて進行するものであれば、分岐点α１乃至α７は、ユーザの位置を基準に設定される。たとえば、分岐点α１乃至α７は、ユーザが到達した位置である。  
分岐点α１乃至α７が設定される基準は、特定の構成に限定されるものではない。
【００６０】
コンテンツの進行が分岐点α１乃至α７に到達すると、コンテンツの内容は、複数に分岐する。
【００６１】
図４が示すように、コンテンツの進行が開始点から分岐点α１まで到達すると、コンテンツの内容は、ルートＡ又はルートＢに分岐する。たとえば、コンテンツが動画コンテンツである場合、コンテンツの再生時間が分岐点α１に到達すると、コンテンツの内容は、所定の動画に接続するルートＡと、他の動画に接続するルートＢとに分岐する。たとえば、ルートＡは、ルートＢと異なるストーリー展開の動画である。
【００６２】
また、コンテンツがゲームコンテンツである場合、コンテンツの進行が分岐点α１に到達すると、コンテンツの内容は、所定のゲーム展開を提供するルートＡと、他のゲーム展開を提供するルートＢとに分岐する。たとえば、ルートＡは、ルートＢと異なるイベントが発生するものである。
【００６３】
また、コンテンツがお化け屋敷などユーザの進行に応じて進行するアトラクションである場合、コンテンツ内でユーザが分岐点α１に到達すると、コンテンツの内容は、所定のアトラクションを提供するルートＡと、他のアトラクションを提供するルートＢとに分岐する。たとえば、ルートＡは、ルートＢと展開の異なるアトラクションである。たとえば、ルートＡは、ルートＢと異なる通路を進行する。
【００６４】
また、コンテンツがジェットコースターなどユーザを移動させるアトラクションである場合、コンテンツ内でユーザが分岐点α１に到達すると、コンテンツの内容は、所定のレールで移動するルートＡと、他のレールで移動するルートＢとに分岐する。なお、たとえば、ルートＡは、ルートＢと同一のレール上での移動であるが異なる速度で移動するものであってもよい。
【００６５】
図４が示すように、コンテンツは、分岐点α１で分岐した後に、さらに分岐する。  
たとえば、コンテンツの内容がルートＡに進行した場合、コンテンツの進行は、分岐点α２に到達する。コンテンツの進行がα２に到達すると、コンテンツの内容は、ルートＡＡ又はルートＡＢに分岐する。
【００６６】
同様に、コンテンツの内容がルートＡＡに進行した場合、コンテンツの進行は、分岐点α３に到達する。コンテンツの進行がα３に到達すると、コンテンツの内容は、ルートＡＡＡ又はルートＡＡＢに分岐する。
【００６７】
同様に、分岐点α４乃至α７でもコンテンツの内容は、分岐する。  
なお、分岐点α１乃至７では、コンテンツの内容は、３つ以上に分岐してもよい。また、コンテンツの分岐先は、同一のルートとなってもよい。たとえば、分岐点α３で分岐するルートＡＡＢと分岐点α４で分岐するルートＡＢＡとは、同一の内容であってもよい。  
コンテンツの内容及び分岐は、特定の構成に限定されるものではない。
【００６８】
次に、検出装置２０のプロセッサ２１が実現する機能について説明する。  
まず、プロセッサ２１は、生体センサ２６の各センサから生体情報を取得する機能を有する。たとえば、プロセッサ２１は、血圧センサ２６１から生体情報として血圧の測定値（血圧値）を取得する。
【００６９】
たとえば、プロセッサ２１は、血圧センサ２６１に対して血圧値を取得するコマンドを送信し、当該コマンドに対するレスポンスとして血圧値を取得する。また、プロセッサ２１は、血圧センサ２６１が所定のタイミングで送信する血圧値を取得してもよい。なお、プロセッサ２１は、生体センサ２６から、生体情報の測定値として、心拍、心電、脈波、脈拍、体温、発汗又は脳波の測定値を取得してもよい。
【００７０】
また、プロセッサ２１は、加速度センサ２７から３軸方向の加速度情報を取得する機能を有する。  
たとえば、プロセッサ２１は、加速度センサ２７に対して加速度情報を取得するコマンドを送信し、当該コマンドに対するレスポンスとして加速度情報を取得する。また、プロセッサ２１は、加速度センサ２７が所定のタイミングで送信する加速度情報を取得してもよい。
【００７１】
また、プロセッサ２１は、環境センサ２８から環境情報を取得する機能を有する。たとえば、プロセッサ２１は、気温センサ２８１から環境情報の測定値として気温を取得する。
【００７２】
たとえば、プロセッサ２１は、気温センサ２８１に対して気温を取得するコマンドを送信し、当該コマンドに対するレスポンスとして気温を取得する。また、プロセッサ２１は、気温センサ２８１が所定のタイミングで送信する気温を取得してもよい。プロセッサ２１は、環境センサ２８から、環境情報の測定値として、湿度、気圧、照度又は音の状態を示す値を取得してもよい。
【００７３】
また、プロセッサ２１は、生体情報、加速度情報及び環境情報を情報処理装置１０へ送信する機能を有する。  
たとえば、プロセッサ２１は、通信部２３を通じて生体情報、加速度情報及び環境情報を情報処理装置１０へ送信する。
【００７４】
たとえば、プロセッサ２１は、通信部２３を通じて生体情報、加速度情報及び環境情報のリクエストを情報処理装置１０から受信すると、当該リクエストに対するレスポンスとして生体情報、加速度情報及び環境情報を送信する。また、プロセッサ２１は、通信部２３を通じて、所定のタイミングで生体情報、加速度情報及び環境情報を情報処理装置１０へ送信してもよい。
【００７５】
また、プロセッサ２１は、生体情報、加速度情報及び環境情報に時刻を示す時刻情報を含めてもよい。たとえば、プロセッサ２１は、生体情報の測定値、加速度情報の測定値及び環境情報の測定値を測定した時刻を示す時刻情報をそれぞれ生体情報、加速度情報及び環境情報に含めてもよい。  
また、プロセッサ２１は、生体センサ２６、加速度センサ２７及び環境センサ２８から各測定値が測定された時刻を示す時刻情報を取得してもよい。
【００７６】
なお、プロセッサ２１は、加速度情報及び環境情報の何れか又は両者を情報処理装置１０へ送信しなくともよい。また、プロセッサ２１は、他の情報を情報処理装置１０へ送信してもよい。
【００７７】
次に、情報処理装置１０のプロセッサ１１が実現する機能について説明する。  
図５は、一実施形態に係る情報処理装置１０が実現する機能を示すブロック図である。図５が示すように、情報処理装置１０は、コンテンツ情報取得部３１、生体情報取得部３２、加速度情報取得部３３、環境情報取得部３４、興奮度判定部３５、進行判定部３６及び変更部３７などを備える。コンテンツ情報取得部３１、生体情報取得部３２、加速度情報取得部３３、環境情報取得部３４、興奮度判定部３５、進行判定部３６及び変更部３７などは、プロセッサ１１がＮＶＭ１４などに格納されるプログラムを実行することによって実現される。
【００７８】
まず、プロセッサ１１は、コンテンツ情報取得部３１として、コンテンツ提供装置４０が提供するコンテンツを示すコンテンツ情報を取得する機能を有する。  
たとえば、プロセッサ１１は、コンテンツ提供装置４０からコンテンツ情報を取得する。また、プロセッサ１１は、操作部１７を通じてオペレータなどからコンテンツ情報の入力を受け付けてもよい。
【００７９】
また、プロセッサ１１は、生体情報取得部３２として、生体情報を取得する機能を有する。プロセッサ１１は、検出装置インターフェース１５を通じて検出装置２０から生体情報を取得する。たとえば、プロセッサ１１は、検出装置インターフェース１５を通じて生体情報のリクエストを検出装置２０へ送信し、当該リクエストに対するレスポンスとして生体情報を受信する。また、プロセッサ１１は、検出装置インターフェース１５を通じて検出装置２０が所定のタイミングで送信する生体情報を受信してもよい。  
たとえば、プロセッサ１１は、一拍ごとに測定された生体情報を取得してもよい。  
また、プロセッサ１１は、複数のユーザの生体情報を取得してもよい。
【００８０】
また、プロセッサ１１は、加速度情報取得部３３として、加速度情報を取得する機能を有する。プロセッサ１１は、検出装置インターフェース１５を通じて検出装置２０から加速度情報を取得する。たとえば、プロセッサ１１は、検出装置インターフェース１５を通じて加速度情報のリクエストを検出装置２０へ送信し、当該リクエストに対するレスポンスとして加速度情報を受信する。また、プロセッサ１１は、検出装置インターフェース１５を通じて検出装置２０が所定のタイミングで送信する加速度情報を受信してもよい。  
また、プロセッサ１１は、一拍ごとに測定された加速度情報を取得してもよい。  
また、プロセッサ１１は、複数のユーザの加速度情報を取得してもよい。
【００８１】
また、プロセッサ１１は、環境情報取得部３４として、環境情報を取得する機能を有する。プロセッサ１１は、検出装置インターフェース１５を通じて検出装置２０から環境情報を取得する。たとえば、プロセッサ１１は、検出装置インターフェース１５を通じて環境情報のリクエストを検出装置２０へ送信し、当該リクエストに対するレスポンスとして環境情報を受信する。また、プロセッサ１１は、検出装置インターフェース１５を通じて検出装置２０が所定のタイミングで送信する環境情報を受信してもよい。
【００８２】
なお、プロセッサ１１は、検出装置２０以外の装置から環境情報を取得してもよい。たとえば、提供システム１は、環境情報を測定する測定装置を所定の位置に備えてもよい。たとえば、測定装置は、温度センサなどを備えてもよい。たとえば、プロセッサ１１は、温度などの測定値を示す環境情報を測定装置から取得してもよい。  
また、プロセッサ１１は、一拍ごとに測定された環境情報を取得してもよい。  
また、プロセッサ１１は、複数のユーザの環境情報を取得してもよい。
【００８３】
なお、プロセッサ１１は、生体情報取得部３２、加速度情報取得部３３及び環境情報取得部３４を同時に実現してもよい。たとえば、プロセッサ１１は、検出装置２０から生体情報、加速度情報及び環境情報を同時に取得してもよい。たとえば、プロセッサ１１は、各情報を取得するためのリクエストを検出装置２０に送信してもよい。  
また、プロセッサ１１は、加速度情報及び環境情報の何れか又は両者を取得しなくともよい。
【００８４】
また、プロセッサ１１は、興奮度判定部３５として、コンテンツ提供装置４０が提供するコンテンツを享受中であるユーザの興奮度を判定する機能を有する。たとえば、プロセッサ１１は、生体情報、加速度情報又は環境情報を取得する度に、ユーザの興奮度を判定する。また、プロセッサ１１は、所定の時間間隔でユーザの興奮度を判定してもよい。
【００８５】
たとえば、プロセッサ１１は、生体情報が示す血圧値に基づいて興奮度を判定する。この場合、プロセッサ１１は、血圧値が高いと興奮度も高いと判定する。また、プロセッサ１１は、所定の閾値（たとえば、ユーザに固有の平均的な血圧値）と現在の血圧値とを比較して興奮度を判定してもよい。また、プロセッサ１１は、過去の血圧値（たとえば、直近の所定の期間の血圧値）と現在の血圧値とを比較して興奮度を判定してもよい。また、プロセッサ１１は、連続的に測定する血圧値の変動によって興奮度を判定してもよい。この場合、プロセッサ１１は、たとえば血圧値が上昇すればするほど、興奮度が高いと判定する。
【００８６】
また、プロセッサ１１は、生体情報としての心拍数（所定時間当たりの心拍数）に基づいて興奮度を判定してもよい。この場合、プロセッサ１１は、心拍数が高いと興奮度も高いと判定する。また、プロセッサ１１は、所定の閾値（たとえば、ユーザに固有の平均的な心拍数）と現在の心拍数とを比較して興奮度を判定してもよい。また、プロセッサ１１は、過去の心拍数（たとえば、直近の所定の期間の心拍数）と現在の心拍数とを比較して興奮度を判定してもよい。また、プロセッサ１１は、連続的に測定する心拍数の変動によって興奮度を判定してもよい。この場合、プロセッサ１１は、心拍数が上昇すればするほど、興奮度が高いと判定する。
【００８７】
また、プロセッサ１１は、生体情報としての心電、脈波、脈拍、体温、発汗又は脳波などに基づいて興奮度を判定してもよい。
【００８８】
さらに、プロセッサ１１は、生体情報に加えて、加速度情報を加味して興奮度を判定してもよい。この場合、プロセッサ１１は、加速度情報が示す加速度が大きいと興奮度も高いと判定する。また、プロセッサ１１は、所定の閾値（たとえば、ユーザに固有の平均的な加速度）と加速度とを比較して興奮度を判定してもよい。また、プロセッサ１１は、過去の加速度（たとえば、直近の所定の期間の加速度）と現在の加速度とを比較して興奮度を判定してもよい。
【００８９】
また、プロセッサ１１は、生体情報に環境情報を加味して興奮度を判定してもよい。たとえば、プロセッサ１１は、環境情報が示す気温に基づいて興奮度を判定する。血圧値が気温の変化に応じて変化することが知られているため、プロセッサ１１は、血圧値の変化（たとえば、上昇）が気温の変化（たとえば、気温の低下）に連動している場合には、血圧値の変化が気温の変化によるものと判定する。すなわち、プロセッサ１１は、気温の変動によって生じると推定される血圧値の変化分に基づいて、血圧センサ２６１が実際に測定する血圧の測定値を補正して興奮度を判定する。たとえば、プロセッサ１１は、血圧値の変化から生じる興奮度の上昇又は下降を少なく（又は、興奮度の上昇又は下降がないと）判定する。
【００９０】
なお、プロセッサ１１は、環境情報が示す湿度、気圧、照度又は音など基づいて興奮度を判定してもよい。
【００９１】
また、プロセッサ１１は、各測定値を引数とする評価関数を用いて興奮度を算出してもよい。たとえば、プロセッサ１１は、各測定値を評価関数に代入して興奮度を算出してもよい。
【００９２】
また、プロセッサ１１は、加速度情報及び環境情報の何れか又は何れも用いずに興奮度を算出してもよい。  
また、プロセッサ１１は、複数のユーザについての生体情報、加速度情報及び環境情報に基づいて、複数のユーザの興奮度をそれぞれ判定してもよい。  
プロセッサ１１が興奮度を判定する方法は、特定の方法に限定されるものではない。
【００９３】
また、プロセッサ１１は、進行判定部３６として、コンテンツの進行が分岐点α１乃至α７に到達したか否かを判定する機能を有する。  
プロセッサ１１は、種々のセンサを用いてコンテンツの進行が分岐点α１乃至α７に到達したか否かを判定する。たとえば、分岐点α１乃至α７がコンテンツの提供を開始してからの時間を基準に設定される場合、プロセッサ１１は、コンテンツの開始から計時し、計時した時間が分岐点α１乃至α７の時間に達したかを判定する。なお、プロセッサ１１は、提供装置インターフェース１６を通じて、コンテンツの開始から経過した時間を取得してもよい。
【００９４】
また、分岐点α１乃至α７がゲームの進行を基準に設定される場合、プロセッサ１１は、コンテンツが分岐点α１乃至α７が示す進行状態（たとえば、イベント発生）に達したかを判定する。たとえば、プロセッサ１１は、提供装置インターフェース１６を通じて、コンテンツの進行状態を示す信号を受信する。
【００９５】
また、分岐点α１乃至α７がユーザの位置を基準に設定される場合、プロセッサ１１は、ユーザの位置を取得し、当該ユーザの位置が分岐点α１乃至α７の位置に到達したかを判定する。たとえば、コンテンツ提供装置４０は、ユーザの位置を取得するセンサなどを備える。プロセッサ１１は、提供装置インターフェース１６を通じてコンテンツ提供装置４０からユーザの位置を示す情報を取得する。  
なお、プロセッサ１１がコンテンツの進行が分岐点α１乃至α７に到達したかを判定する方法は、特定の方法に限定されるものではない。
【００９６】
また、プロセッサ１１は、変更部３７として、ユーザの興奮度の判定結果に基づいて、コンテンツの内容をコンテンツの進行途中で分岐（変更）する機能を有する。  
たとえば、プロセッサ１１は、ユーザの興奮度に基づいてコンテンツの内容を分岐させる信号（ルート信号）を生成し、生成した信号をコンテンツ提供装置４０へ送信する。
【００９７】
たとえば、プロセッサ１１は、コンテンツの進行が分岐点α１乃至α７に到達したと判定すると、所定の期間の興奮度（たとえば、分岐点の前の興奮度）に基づいてコンテンツのルートを選択する。たとえば、プロセッサ１１は、開始点から分岐点までの興奮度に基づいてコンテンツのルートを選択する。また、プロセッサ１１は、前の分岐点から現在の分岐点までの興奮度に基づいてコンテンツのルートを選択してもよい。また、プロセッサ１１は、所定の期間における興奮度の平均値に基づいてコンテンツのルートを選択してもよい。また、プロセッサ１１は、所定の期間における興奮度の最大値又は最小値に基づいてコンテンツのルートを選択してもよい。
【００９８】
プロセッサ１１は、予め設定された複数のルートから興奮度に対応する１つのルートを選択する。図４に示すように、たとえば、コンテンツの進行が分岐点α１に到達した場合におけるルートを選択する場合、プロセッサ１１は、ルートＡ又はルートＢから１つのルートを選択する。
【００９９】
プロセッサ１１は、コンテンツの進行が分岐点に到達する前に当該分岐点におけるルートを選択してもよい。また、プロセッサ１１は、コンテンツの進行が分岐点に到達してから、当該分岐点におけるルートを選択してもよい。
【０１００】
プロセッサ１１は、ユーザの興奮度が増加、減少又は維持するようにコンテンツのルートを選択する。  
たとえば、プロセッサ１１は、分岐点の前の興奮度が低い（たとえば、興奮度が所定の閾値よりも低い）場合、当該分岐点において興奮度が上昇するルートを選択する。また、プロセッサ１１は、分岐点の前の興奮度が高い（たとえば、興奮度が所定の閾値よりも高い）場合、当該分岐点において興奮度が低下するルートを選択する。プロセッサ１１は、分岐点の前の興奮度が中度である（たとえば、興奮度が所定の範囲内である）場合、当該分岐点において興奮度を維持するルートを選択する。
【０１０１】
たとえば、コンテンツが動画コンテンツである場合、プロセッサ１１は、分岐点の前の興奮度が低い場合、当該分岐点において、興奮度が上昇するストーリー展開であるルートを選択する。また、プロセッサ１１は、分岐点の前の興奮度が高い場合、当該分岐点において、興奮度が減少するストーリー展開であるルートを選択する。
【０１０２】
また、コンテンツがジェットコースターである場合、たとえば、プロセッサ１１は、分岐点の前の興奮度が低い場合、当該分岐点において、マシンの速度を上げる（即ち、同一のレール上でマシンの速度を上げるルートを選択する）。また、プロセッサ１１は、分岐点の前の興奮度が高い場合、当該分岐点において、マシンの速度を下げる（即ち、同一レール上でマシンの速度を下げるルートを選択する）。  
なお、プロセッサ１１がルートを選択する方法は、特定の方法に限定されるものではない。
【０１０３】
また、プロセッサ１１は、コンテンツを享受する複数のユーザの興奮度に基づいてコンテンツのルートを選択してもよい。プロセッサ１１は、所定の期間における各ユーザの興奮度に基づいてコンテンツのルートを選択する。たとえば、プロセッサ１１は、各ユーザの興奮度の平均値に基づいてコンテンツのルートを選択する。
【０１０４】
プロセッサ１１は、選択したルートを示すルート情報をコンテンツ提供装置４０へ送信する。たとえば、プロセッサ１１は、各分岐点α１乃至α７におけるルート情報を送信する。
【０１０５】
なお、プロセッサ１１は、コンテンツが分岐点α１乃至α７に到達する前に各分岐点α１乃至α７におけるルート情報を生成し送信してもよい。たとえば、プロセッサ１１は、分岐点に到達する前の所定の期間までのユーザの興奮度に応じて当該分割点についてのルート情報を生成しコンテンツ提供装置４０へ送信してもよい。
【０１０６】
次に、コンテンツ提供装置４０が実現する機能について説明する。  
コンテンツ提供装置４０は、情報処理装置１０からのルート信号に基づいてコンテンツの内容を分岐する機能を有する。
【０１０７】
コンテンツ提供装置４０は、ルート信号に基づいて分岐点α１乃至α７におけるルートを選択する。コンテンツ提供装置４０は、分岐点α１乃至α７において、ルート信号が示すルートに応じたコンテンツを提供する。
【０１０８】
次に、情報処理装置１０の動作例について説明する。  
図６は、一実施形態に係る情報処理装置１０の動作例について説明するためのフローチャートである。  
まず、情報処理装置１０のプロセッサ１１は、コンテンツ提供装置４０がユーザに提供するコンテンツを示すコンテンツ情報を取得する（Ｓ１１）。
【０１０９】
コンテンツ情報を取得すると、プロセッサ１１は、コンテンツ提供装置４０がコンテンツの提供を開始したかを判定する（Ｓ１２）。たとえば、プロセッサ１１は、コンテンツ提供装置４０からコンテンツの提供を開始したことを示す信号を受信し、当該信号の受信を検出したことによりコンテンツの提供を開始したと判定する。また、プロセッサ１１は、操作部１７を通じてコンテンツ提供装置４０がコンテンツの提供を開始したことを示す操作の入力を受け付けてもよい。
【０１１０】
コンテンツ提供装置４０がコンテンツの提供を開始していないと判定すると（Ｓ１２、ＮＯ）、プロセッサ１１は、Ｓ１２に戻る。
【０１１１】
コンテンツ提供装置４０がコンテンツの提供を開始したと判定すると（Ｓ１２、ＹＥＳ）、プロセッサ１１は、検出装置２０などを用いて、生体情報、加速度情報及び環境情報を取得する（Ｓ１３）。
【０１１２】
生体情報、加速度情報及び環境情報を取得すると、プロセッサ１１は、生体情報、加速度情報及び環境情報などに基づいて、ユーザの興奮度を判定する（Ｓ１４）。
【０１１３】
興奮度を判定すると、プロセッサ１１は、コンテンツ情報が示すコンテンツの進行が当該コンテンツの分岐点に到達したかを判定する（Ｓ１５）。コンテンツの進行が当該コンテンツの分岐点に到達したと判定すると（Ｓ１５、ＹＥＳ）、プロセッサ１１は、分岐点の前の興奮度に基づいてコンテンツのルートを選択する（Ｓ１６）。
【０１１４】
ルートを選択すると、プロセッサ１１は、提供装置インターフェース１６を通じて、選択したルートを示すルート情報をコンテンツ提供装置４０へ送信する（Ｓ１７）。
【０１１５】
コンテンツの進行が当該コンテンツの分岐点に到達していないと判定した場合（Ｓ１５、ＮＯ）、又は、ルート情報をコンテンツ提供装置４０へ送信した場合（Ｓ１７）、プロセッサ１１は、コンテンツ提供装置４０がコンテンツの提供を終了したかを判定する（Ｓ１８）。たとえば、プロセッサ１１は、コンテンツ提供装置４０からコンテンツの提供を終了したことを示す信号を受信し、当該信号の受信を検出したことによりコンテンツの提供を終了したと判定する。また、プロセッサ１１は、操作部１７を通じてコンテンツ提供装置４０がコンテンツの提供を終了したことを示す操作の入力を受け付けてもよい。
【０１１６】
コンテンツ提供装置４０がコンテンツの提供を終了していないと判定すると（Ｓ１８、ＮＯ）、プロセッサ１１は、Ｓ１３に戻る。  
コンテンツ提供装置４０がコンテンツの提供を終了したと判定すると（Ｓ１８、ＹＥＳ）、プロセッサ１１は、動作を終了する。
【０１１７】
なお、プロセッサ１１は、コンテンツの進行が分岐点より前の所定の点でルートを選択してもよい。たとえば、プロセッサ１１は、コンテンツの進行が分岐点に到達する前にルート情報をコンテンツ提供装置４０へ送信する。
【０１１８】
また、プロセッサ１１は、判定した興奮度を検出装置２０へ送信してもよい。検出装置２０のプロセッサ２１は、受信した興奮度を表示部２５に表示してもよい。
【０１１９】
また、検出装置２０は、情報処理装置１０の機能を備えていてもよい。  
この場合、検出装置２０のプロセッサ２１は、生体情報などに基づいてユーザの興奮度を判定する。プロセッサ２１は、通信部２３などを通じて判定された興奮度を情報処理装置１０へ送信する。
【０１２０】
また、検出装置２０は、ユーザの興奮度を判定し、ユーザの興奮度に基づいてルート情報を生成してもよい。検出装置２０は、ルート情報をコンテンツ提供装置４０へ送信してもよい。
【０１２１】
また、情報処理装置１０は、コンテンツ提供装置４０の機能を有してもよい。  
また、情報処理装置１０は、コンテンツ提供装置４０と一体的に形成されてもよい。
【０１２２】
また、情報処理装置１０は、常時、コンテンツの内容を分岐してもよい。たとえば、コンテンツがジェットコースターなどである場合、情報処理装置１０は、ユーザの興奮度に基づいて常時速度などを制御してもよい。
【０１２３】
以上に述べたように実施形態によれば、情報処理装置は、コンテンツを享受するユーザの興奮度を判定する。また、情報処理装置は、ユーザの興奮度に基づいてコンテンツの内容を分岐することができる。その結果、情報処理装置は、コンテンツの内容を制御することでユーザの興奮度をコントロールすることができる。
（応用例）
次に、一実施形態に係る情報処理装置１０の応用例について説明する。  
ここでは、情報処理装置１０のプロセッサ１１は、コンテンツとして、楽曲などの音楽コンテンツによって生じる興奮度を判定するものとする。
【０１２４】
プロセッサ１１は、音楽コンテンツによって生じた興奮度に基づいて、再生中の音楽コンテンツを変更する。  
たとえば、プロセッサ１１は、ユーザの興奮度が所定の閾値を超えた状態が所定の期間継続したか判定する。ユーザの興奮度が所定の閾値を超えた状態が所定の期間継続したと判定すると、プロセッサ１１は、再生中の音楽コンテンツを、興奮度を抑える音楽コンテンツに変更する。たとえば、プロセッサ１１は、興奮度を抑える音楽コンテンツを再生させる信号をコンテンツ提供装置４０へ送信する。  
なお、ユーザの興奮度が所定の閾値を超えた判定した場合、プロセッサ１１は、興奮度を抑える音楽コンテンツを再生してもよい。
【０１２５】
また、プロセッサ１１は、ユーザの興奮度が所定の閾値を下回った状態が所定の期間継続したか判定する。ユーザの興奮度が所定の閾値を下回った状態が所定の期間継続したと判定すると、プロセッサ１１は、再生中の音楽コンテンツを、興奮度を高める音楽コンテンツに変更する。たとえば、プロセッサ１１は、興奮度を高める音楽コンテンツを再生させる信号をコンテンツ提供装置４０へ送信する。  
なお、ユーザの興奮度が所定の閾値を下回ったと判定した場合、プロセッサ１１は、興奮度を高める音楽コンテンツを再生してもよい。
【０１２６】
図７は、音楽コンテンツから生じた興奮度を示すグラフの例である。図７において、横軸は、時間を示す。また、縦軸は、興奮度を示す。
【０１２７】
図７が示す例では、プロセッサ１１は、点３０１でユーザの興奮度が所定の閾値を超えたと判定する。また、プロセッサ１１は、点３０２でユーザの興奮度が所定の閾値を超えた状態が所定の期間継続したと判定する。そのため、プロセッサ１１は、点３０２でユーザの興奮度を抑える音楽コンテンツを再生する。
【０１２８】
以上のように構成された情報処理装置は、ユーザの興奮度に基づいて、興奮度を抑える音楽コンテンツ又は興奮度を高める音楽コンテンツを提供する。その結果、情報処理装置は、ユーザの興奮度をコントロールすることができる。
【０１２９】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【０１３０】
上記実施形態の一部または全部は、以下の付記のようにも記載され得るが、以下には限られるものではない。  
（付記１）
メモリと、
前記メモリに格納されるプログラムで動作するプロセッサと、
を備え、
前記プロセッサは、
少なくとも血圧を含む生体情報を測定する検出装置から、コンテンツを享受するユーザの生体情報を取得し、
取得された前記生体情報に基づいて、前記コンテンツを享受中である前記ユーザの興奮度を判定し、
前記興奮度の判定結果に基づいて、前記コンテンツの内容を前記コンテンツの進行途中で変更する、
情報処理装置。
（付記２）
プロセッサによって実行される情報処理方法であって、
少なくとも血圧を含む生体情報を測定する検出装置から、コンテンツを享受するユーザの生体情報を取得し、
取得された前記生体情報に基づいて、前記コンテンツを享受中である前記ユーザの興奮度を判定し、
前記興奮度の判定結果に基づいて、前記コンテンツの内容を前記コンテンツの進行途中で変更する、
情報処理方法。
【符号の説明】
【０１３１】
１…提供システム、１０…情報処理装置、１１…プロセッサ、１５…検出装置インターフェース、１６…提供装置インターフェース、２０…検出装置、２１…プロセッサ、２３…通信部、２６…生体センサ、２７…加速度センサ、２８…環境センサ、３１…コンテンツ情報取得部、３２…生体情報取得部、３３…加速度情報取得部、３４…環境情報取得部、３５…興奮度判定部、３６…進行判定部、３７…変更部、４０…コンテンツ提供装置、２６１…血圧センサ、２８１…気温センサ。
【図１】
2018151862.tif 000003
【図２】
2018151862.tif 000004
【図３】
2018151862.tif 000005
【図４】
2018151862.tif 000006
【図５】
2018151862.tif 000007
【図６】
2018151862.tif 000008
【図７】
2018151862.tif 000009